(57)【要約】【課題】利用者の趣味や嗜好に応じた楽曲のランキングを提供すること。【解決手段】移動体同士で共有することができる走行情報を管理する情報管理サーバ１００は、受信部１０１と、分類部１０２と、作成部１０３と、配信部１０４と、を備える。受信部１０１は、複数の移動体端末装置の移動履歴の情報と、移動中に再生した楽曲の履歴の情報とを受信する。分類部１０２は、受信部１０１が受信した移動履歴の情報に基づいて、利用者の属性を判断し、利用者を属性ごとに分類する。作成部１０３は、分類部１０２によって分類された属性ごとに、複数の移動体端末装置にて再生された回数の多い順に楽曲のランキングを作成する。配信部１０４は、作成部１０３によって作成された属性ごとの楽曲のランキングを、移動体端末装置に配信する。【選択図】図１
2009134539.tif 000002
【特許請求の範囲】
【請求項１】
移動体同士で共有することができる走行情報を管理する情報管理サーバにおいて、
複数の移動体端末装置の移動履歴の情報と、移動中に再生した楽曲の履歴の情報とを受信する受信手段と、
前記受信手段が受信した移動履歴の情報に基づいて、利用者の属性を判断し、利用者を属性ごとに分類する分類手段と、
前記分類手段によって分類された前記属性ごとに、複数の移動体端末装置にて再生された回数の多い順に楽曲のランキングを作成する作成手段と、
前記作成手段によって作成された前記属性ごとの楽曲のランキングを、前記移動体端末装置に配信する配信手段と、
を備えることを特徴とする情報管理サーバ。
【請求項２】
前記分類手段は、前記受信手段が受信した前記移動履歴の情報のうち、目的地点または立ち寄り地点に到達した施設のジャンルに基づいて、利用者の属性を判断し、利用者を属性ごとに分類することを特徴とする請求項１に記載の情報管理サーバ。
【請求項３】
前記分類手段は、前記受信手段が受信した移動履歴の情報のうち、前記移動体が駐車した駐車位置に関連付けられる施設のジャンルに基づいて、利用者の属性を判断し、利用者を属性ごとに分類することを特徴とする請求項１または２に記載の情報管理サーバ。
【請求項４】
前記受信手段は、前記複数の移動体端末装置にておこなわれた施設検索時におけるジャンルの履歴の情報を受信し、
前記分類手段は、前記受信手段が受信した前記ジャンルの履歴に基づいて、利用者の属性を判断し、利用者を属性ごとに分類することを特徴とする請求項１〜３のいずれか一つに記載の情報管理サーバ。
【請求項５】
前記分類手段は、前記施設のジャンルのうち、移動体が当該施設に到達した回数が所定回数以上、または当該施設を検索した回数が所定回数以上の場合に、利用者の属性を判断することを特徴とする請求項２〜４のいずれか一つに記載の情報管理サーバ。
【請求項６】
前記分類手段は、前記施設のジャンルの種類に応じて、利用者の属性を判断することを特徴とする請求項２〜５のいずれか一つに記載の情報管理サーバ。
【請求項７】
前記配信手段は、利用者の属性と同じ属性の前記ランキングを、当該利用者の前記移動体端末装置に配信することを特徴とする請求項１〜６のいずれか一つに記載の情報管理サーバ。
【請求項８】
前記属性は、利用者の趣味または嗜好に関するものであることを特徴とする請求項１〜７のいずれか一つに記載の情報管理サーバ。
【請求項９】
前記受信手段は、前記移動体端末装置から、利用者からの入力による利用者の属性に関する情報を受信し、
前記分類手段は、前記受信手段が受信した利用者の属性に関する情報に応じて、利用者を属性ごとに分類することを特徴とする請求項１〜８のいずれか一つに記載の情報管理サーバ。
【請求項１０】
前記属性に関する情報は、利用者の年齢に関する情報を含み、
前記分類手段は、前記受信手段が受信した利用者の年齢に関する情報に基づいて、利用者を属性ごとに分類するとともに、さらに所定の年齢層ごとに分類することを特徴とする請求項９に記載の情報管理サーバ。
【請求項１１】
移動体端末装置の移動履歴の情報と、移動中に再生した楽曲の履歴の情報とを、外部の情報管理サーバに送信する送信手段と、
前記送信手段による前記情報の送信を受けて、前記情報管理サーバから、属性ごとに分類された楽曲のランキングを受信する受信手段と、
前記受信手段によって受信された前記楽曲のランキングを提示する提示手段と、
を備えることを特徴とする移動体端末装置。
【請求項１２】
検索対象となる施設のジャンルの入力を受け付ける受付手段と、
前記受付手段が受け付けたジャンルの履歴を、前記情報管理サーバに送信させる制御手段と、
をさらに備えることを特徴とする請求項１１に記載の移動体端末装置。
【請求項１３】
利用者から当該利用者の属性に関する情報が入力される入力手段をさらに備え、
前記制御手段は、前記入力手段に入力された前記属性に関する情報を、前記情報管理サーバに送信させることを特徴とする請求項１２に記載の移動体端末装置。
【請求項１４】
楽曲を再生する再生手段をさらに備え、
前記制御手段は、前記受信手段によって受信された前記楽曲のランキング順に、前記再生手段に楽曲を再生させることを特徴とする請求項１１〜１３のいずれか一つに記載の移動体端末装置。
【請求項１５】
移動体同士で共有することができる走行情報を管理する情報管理サーバの情報管理方法において、
複数の移動体端末装置の移動履歴の情報と、移動中に再生した楽曲の履歴の情報とを受信する受信工程と、
前記受信工程にて受信した移動履歴の情報に基づいて、利用者の属性を判断し、利用者を属性ごとに分類する分類工程と、
前記分類工程にて分類された前記属性ごとに、複数の移動体端末装置に再生された回数の多い順に楽曲のランキングを作成する作成工程と、
前記作成工程にて作成された前記属性ごとの楽曲のランキングを、前記移動体端末装置に配信する配信工程と、
を含むことを特徴とする情報管理方法。
【請求項１６】
移動体端末装置の移動履歴の情報と、移動中に再生した楽曲の履歴の情報とを、外部の情報管理サーバに送信する送信工程と、
前記送信工程の前記情報の送信を受けて、前記情報管理サーバから、属性ごとに分類された楽曲のランキングを受信する受信工程と、
前記受信工程にて受信された前記楽曲のランキングを提示する提示工程と、
を含むことを特徴とする情報受信方法。
【請求項１７】
請求項１５に記載の情報管理方法をコンピュータに実行させることを特徴とする情報管理プログラム。
【請求項１８】
請求項１６に記載の情報受信方法をコンピュータに実行させることを特徴とする情報受信プログラム。
【請求項１９】
請求項１７または１８に記載のプログラムを記録したことを特徴とするコンピュータに読み取り可能な記録媒体。
【発明の詳細な説明】
【技術分野】
【０００１】
この発明は、情報管理サーバ、移動体端末装置、情報管理方法、情報受信方法、情報管理プログラム、情報受信プログラム、および記録媒体に関する。
【背景技術】
【０００２】
近年、車両などの移動体には、ＣＤやＭＤなどの記録媒体に記録される楽曲を再生することができるオーディオ装置が搭載されている。このようなオーディオ装置には、たとえば、外部サーバとネットワークなどによって接続し、当該外部サーバから受信した各種情報の提示をおこなえるものが知られている。
【０００３】
たとえば、外部サーバから、不特定多数の聴衆の、曲の再生回数や、楽曲の販売数（ヒットランキング）や、所定の期間内におけるヒットランキングなどの情報を受信し、受信した情報を用いて、楽曲の再生回数順や、ヒットランキング順や、所定の期間内におけるヒットランキング順に、記録媒体に記録されている楽曲を再生するようにした技術が提案されている（たとえば、下記特許文献１参照。）。
【０００４】
【特許文献１】特開２００５−３８６０３号公報
【発明の開示】
【発明が解決しようとする課題】
【０００５】
しかしながら、上述した特許文献１に記載の技術は、不特定多数の聴衆から人気のある順番に楽曲を再生することができるに過ぎず、その楽曲が必ずしも利用者の聴きたい楽曲の順であるとは限らないといった問題が一例として挙げられる。言い換えれば、特許文献１の技術は、利用者に対応した楽曲のランキングを利用者に配信することができないといった問題が一例として挙げられる。
【課題を解決するための手段】
【０００６】
上述した課題を解決し、目的を達成するため、請求項１の発明にかかる情報管理サーバは、移動体同士で共有することができる走行情報を管理する情報管理サーバにおいて、複数の移動体端末装置の移動履歴の情報と、移動中に再生した楽曲の履歴の情報とを受信する受信手段と、前記受信手段が受信した移動履歴の情報に基づいて、利用者の属性を判断し、利用者を属性ごとに分類する分類手段と、前記分類手段によって分類された前記属性ごとに、複数の移動体端末装置にて再生された回数の多い順に楽曲のランキングを作成する作成手段と、前記作成手段によって作成された前記属性ごとの楽曲のランキングを、前記移動体端末装置に配信する配信手段と、を備えることを特徴とする。
【０００７】
また、請求項１１の発明にかかる移動体端末装置は、移動体端末装置の移動履歴の情報と、移動中に再生した楽曲の履歴の情報とを、外部の情報管理サーバに送信する送信手段と、前記送信手段による前記情報の送信を受けて、前記情報管理サーバから、属性ごとに分類された楽曲のランキングを受信する受信手段と、前記受信手段によって受信された前記楽曲のランキングを提示する提示手段と、を備えることを特徴とする。
【０００８】
また、請求項１５に記載の情報管理方法は、移動体同士で共有することができる走行情報を管理する情報管理サーバの情報管理方法において、複数の移動体端末装置の移動履歴の情報と、移動中に再生した楽曲の履歴の情報とを受信する受信工程と、前記受信工程にて受信した移動履歴の情報に基づいて、利用者の属性を判断し、利用者を属性ごとに分類する分類工程と、前記分類工程にて分類された前記属性ごとに、複数の移動体端末装置に再生された回数の多い順に楽曲のランキングを作成する作成工程と、前記作成工程にて作成された前記属性ごとの楽曲のランキングを、前記移動体端末装置に配信する配信工程と、を含むことを特徴とする。
【０００９】
また、請求項１６に記載の情報受信方法は、移動体端末装置の移動履歴の情報と、移動中に再生した楽曲の履歴の情報とを、外部の情報管理サーバに送信する送信工程と、前記送信工程の前記情報の送信を受けて、前記情報管理サーバから、属性ごとに分類された楽曲のランキングを受信する受信工程と、前記受信工程にて受信された前記楽曲のランキングを提示する提示工程と、を含むことを特徴とする。
【００１０】
また、請求項１７に記載の情報管理プログラムは、請求項１５に記載の情報管理方法をコンピュータに実行させることを特徴とする。
【００１１】
また、請求項１８に記載の情報受信プログラムは、請求項１６に記載の情報受信方法をコンピュータに実行させることを特徴とする。
【００１２】
また、請求項１９の発明にかかる記録媒体は、請求項１７または１８に記載のプログラムをコンピュータに読み取り可能に記録したことを特徴とする。
【発明を実施するための最良の形態】
【００１３】
以下に添付図面を参照して、この発明にかかる情報管理サーバ、移動体端末装置、情報管理方法、情報受信方法、情報管理プログラム、情報受信プログラム、および記録媒体の好適な実施の形態を詳細に説明する。
【００１４】
（実施の形態）
（情報管理サーバ１００の機能的構成）
この発明の実施の形態にかかる情報管理サーバ１００の機能的構成について説明する。図１は、実施の形態にかかる情報管理サーバ１００の機能的構成の一例を示すブロック図である。
【００１５】
図１において、情報管理サーバ１００は、移動体同士で共有することができる走行情報を管理する。移動体同士で共有することができる走行情報は、具体的には、プローブ情報であり、交通規制や通行止めといった道路情報、渋滞の有無や渋滞の長さや混雑の度合いといった渋滞情報、雨天や雪天などの天候情報など、リアルタイムの情報が挙げられる。
【００１６】
プローブ情報を用いたプローブカーシステムについて補足しておくと、たとえば、多数の車両の迂回状況や速度などを基に、道路情報や渋滞情報を得ることができ、また、多数の車両のワイパーの動作速度やアンチロック・ブレーキ・システムの動作状況を基に、天候情報や路面情報を得ることができるシステムである。
【００１７】
情報管理サーバ１００は、受信部１０１と、分類部１０２と、作成部１０３と、配信部１０４とを備えている。受信部１０１は、複数の移動体端末装置の移動履歴の情報と、移動中に再生した楽曲の履歴の情報とを受信する。移動体端末装置は、代表的には、移動体に搭載されるナビゲーション装置が挙げられるが、ナビゲーション機能を内蔵する携帯電話装置を用いることも可能である。
【００１８】
移動履歴の情報は、走行した経路の情報や、目的地点、立ち寄り地点、駐車した地点などの施設の情報などである。楽曲の履歴の情報は、代表的には、１曲ごとに楽曲を特定することができるタイトル名およびアーティスト名などの情報が挙げられるが、アルバム名を特定する情報であってもよいし、テンポや曲調など楽曲の種別を特定する情報であってもよい。
【００１９】
分類部１０２は、受信部１０１が受信した移動履歴の情報に基づいて、利用者の属性を判断し、利用者を属性ごとに分類する。利用者の属性は、利用者がよく利用する施設や、よく行く場所などに関する行動特性に関するものであってもよいが、代表的には、移動履歴に基づく、趣味や嗜好に関するものが挙げられる。
【００２０】
作成部１０３は、分類部１０２によって分類された属性ごとに、複数の移動体端末装置にて再生された回数の多い順に楽曲のランキングを作成する。具体例を挙げると、利用者の属性が「旅行好き」である場合、作成部１０３は、「旅行好き」の属性の利用者ごとに、走行中に再生した楽曲を集計し、「旅行好き」の利用者ごとの楽曲のランキングを作成する。
【００２１】
配信部１０４は、作成部１０３によって作成された属性ごとの楽曲のランキングを、移動体端末装置に配信する。配信部１０４は、利用者が自分とは異なる他の属性の利用者のランキングを知ることができるという観点から、当該利用者の属性に対応しないランキングを配信してもよいし、当該利用者の属性に対応するランキングを配信してもよい。
【００２２】
また、本実施の形態において、分類部１０２は、受信部１０１が受信した移動履歴の情報のうち、目的地点または立ち寄り地点に到達した施設のジャンルに基づいて、利用者の属性を判断し、利用者を属性ごとに分類してもよい。ジャンルは、具体的には、たとえば、観光地、小売店、スポーツ施設など、予め設定される施設のジャンルである。本構成は、目的地点または立ち寄り地点として、実際に到達した施設のジャンルから利用者の属性を判断することを可能にしたものである。
【００２３】
また、本実施の形態において、分類部１０２は、受信部１０１が受信した移動履歴の情報のうち、移動体が駐車した駐車位置に関連付けられる施設のジャンルに基づいて、利用者の属性を判断し、利用者を属性ごとに分類してもよい。本構成は、実際に移動体が駐車した施設のジャンルから利用者の属性を判断することを可能にしたものである。
【００２４】
また、本実施の形態において、受信部１０１は、複数の移動体端末装置にておこなわれた施設検索時におけるジャンルの履歴の情報を受信してもよい。この場合、分類部１０２は、受信部１０１が受信したジャンルの履歴に基づいて、利用者の属性を判断し、利用者を属性ごとに分類する。本構成は、移動体の移動履歴情報のみでなく、利用者が検索した施設のジャンルの履歴からも利用者の属性を判断できるため、より詳細な属性を判断することを可能にしたものである。
【００２５】
また、本実施の形態において、分類部１０２は、施設のジャンルのうち、移動体が当該施設に到達した回数が所定回数以上、または当該施設を検索した回数が所定回数以上ある場合に、利用者の属性を判断してもよい。本構成は、よく行く施設、またはよく検索する施設のジャンルから属性を判断することを可能にしたものである。
【００２６】
また、本実施の形態において、分類部１０２は、施設のジャンルの種類に応じて、利用者の属性を判断してもよい。具体例を挙げると、たとえば、ガソリンスタンドなど、必然的に行く場所などを属性の判断要素として用いないようにする一方、宿泊施設や観光地など、利用者の趣味や嗜好を反映させやすい場所などを属性の判断要素に用いる。
【００２７】
また、本実施の形態において、配信部１０４は、上述したように、利用者の属性と同じ属性のランキングを、当該利用者の移動体端末装置に配信してもよい。本構成は、利用者の属性と、同じ属性の他の利用者が聴いている楽曲を配信することを可能にしたものである。
【００２８】
また、本実施の形態において、受信部１０１は、移動体端末装置から、利用者からの入力による利用者の属性に関する情報を受信してもよい。この場合、分類部１０２は、受信部１０１が受信した利用者の属性に関する情報に応じて、利用者を属性ごとに分類すればよい。属性に関する情報は、具体的には、利用者の性格を示す情報である。本構成は、より詳細且つ正確な属性情報に基づいて、利用者の属性をより詳細に分類することを可能にしたものである。
【００２９】
また、本実施の形態において、属性に関する情報は、利用者の年齢に関する情報を含んでいることが望ましい。この場合、分類部１０２は、受信部１０１が受信した利用者の年齢に関する情報に基づいて、利用者を属性ごとに分類するとともに、さらに所定の年齢層ごとに分類する。所定の年齢層は、たとえば、１０代、２０代、・・・、といった年齢層である。属性に関する情報に、利用者の年齢に関する情報を含ませたのは、楽曲の好みが年齢層ごとに異なるためである。
【００３０】
（移動体端末装置２００の機能的構成）
この発明の実施の形態にかかる移動体端末装置２００の機能的構成について説明する。図２は、実施の形態にかかる移動体端末装置２００の機能的構成の一例を示すブロック図である。図２において、移動体端末装置２００は、送信部２０１と、制御部２０２と、受信部２０３と、提示部２０４と、受付部２０５と、入力部２０６と、再生部２０７とを備えている。
【００３１】
送信部２０１は、移動体端末装置２００の移動履歴の情報と、移動中に再生した楽曲の履歴の情報とを、プローブ情報とともに、外部の情報管理サーバ１００に送信する。移動履歴の情報は、具体的には、目的地点や立ち寄り地点の施設の情報や、駐車位置に関連付けられる施設の情報などである。送信部２０１は、制御部２０２の制御により上記情報を情報管理サーバ１００に送信する。制御部２０２の制御による送信部２０１の送信タイミングは任意であり、たとえば、駐車したとき以降や目的地などに到達したとき以降などの、プローブ情報を送信するタイミングである。
【００３２】
受信部２０３は、送信部２０１による上記情報の送信を受けて、情報管理サーバ１００から、属性ごとに分類された楽曲のランキングを受信する。受信部２０３によるランキングの受信のタイミングは、任意であり、たとえば、週に１回や月に１回など設定したタイミングとすればよい。受信部２０３は、プローブ情報とともにランキングを受信する。
【００３３】
提示部２０４は、受信部２０３によって受信された楽曲のランキングを提示する。提示部２０４によるランキングの提示方式は、表示画面による提示でもよいし、音声による提示でもよいし、表示画面および音声を用いた提示でもよい。
【００３４】
また、本実施の形態において、受付部２０５は、任意の構成要素である。受付部２０５は、検索対象となるジャンルの入力を受け付ける。この場合、制御部２０２は、受付部２０５が受け付けたジャンルの履歴を、情報管理サーバ１００に送信させる。また、制御部２０２は、検索時のジャンルの履歴のみならず、目的地点または立ち寄り地点として到達した施設のジャンルや、駐車位置に関連付けられる施設のジャンルを、情報管理サーバ１００に送信させてもよい。
【００３５】
また、本実施の形態において、入力部２０６は、任意の構成要素である。入力部２０６は、利用者から当該利用者の属性に関する情報が入力される。制御部２０２は、入力部２０６に入力された属性に関する情報を、情報管理サーバ１００に送信させる。利用者の属性に関する情報は、利用者の性格を示す情報や、利用者の年齢に関する情報などである。
【００３６】
また、本実施の形態において、再生部２０７は、任意の構成要素である。再生部２０７は、楽曲を再生する。この場合、制御部２０２は、受信部２０３によって受信された楽曲のランキング順に、再生部２０７に楽曲を再生させる。本構成は、利用者の趣味や嗜好に対応した順番で、楽曲を再生させることを可能にしたものである。
【００３７】
（情報管理サーバの情報管理処理手順）
つぎに、図３を用いて、情報管理サーバ１００の情報管理処理手順について説明する。図３は、本実施の形態にかかる情報管理サーバ１００の情報管理処理手順の一例を示すフローチャートである。
【００３８】
図３のフローチャートにおいて、情報管理サーバ１００は、複数の移動体端末装置２００の移動履歴の情報と、移動中に再生した楽曲の履歴の情報とを受信したか否かを判断する（ステップＳ３０１）。ステップＳ３０１において、移動履歴の情報と、移動中に再生した楽曲の履歴の情報とを受信するまで待機状態にあり（ステップＳ３０１：Ｎｏのループ）、移動履歴の情報と、移動中に再生した楽曲の履歴の情報とを受信すると（ステップＳ３０１：Ｙｅｓ）、受信した移動履歴の情報に基づいて、利用者の属性を判断する（ステップＳ３０２）。
【００３９】
そして、利用者を属性ごとに分類する（ステップＳ３０３）。このあと、複数の移動体端末装置２００にて再生された回数の多い順に、属性ごとに楽曲のランキングを作成する（ステップＳ３０４）。さらに、移動体端末装置２００に作成された属性ごとの楽曲のランキングを配信し（ステップＳ３０５）、一連の処理を終了する。
【００４０】
（移動体端末装置の情報受信処理手順）
つぎに、図４を用いて、移動体端末装置２００の情報受信処理手順について説明する。図４は、本実施の形態にかかる移動体端末装置２００の情報受信処理手順の一例を示すフローチャートである。
【００４１】
図４のフローチャートにおいて、移動体端末装置２００は、移動体端末装置２００の移動履歴の情報と、移動中に再生した楽曲の履歴の情報とを、外部の情報管理サーバ１００に送信したか否かを判断する（ステップＳ４０１）。ステップＳ４０１において、移動履歴の情報と、移動中に再生した楽曲の履歴の情報とを、情報管理サーバ１００に送信するまで待機状態にある（ステップＳ４０１：Ｎｏのループ）。
【００４２】
ステップＳ４０１において、移動履歴の情報と、移動中に再生した楽曲の履歴の情報とを、情報管理サーバ１００に送信すると（ステップＳ４０１：Ｙｅｓ）、情報管理サーバ１００から、属性ごとに分類された楽曲のランキングを受信する（ステップＳ４０２）。そして、受信した楽曲のランキングを提示し（ステップＳ４０３）、一連の処理を終了する。
【００４３】
以上説明したように、本実施の形態にかかる情報管理サーバ１００は、移動履歴の情報に基づいて、利用者の属性を判断し、利用者を属性ごとに分類するとともに、分類した属性ごとに、複数の移動体端末装置２００にて再生された回数の多い順に楽曲のランキングを作成するようにした。したがって、利用者の属性に応じたランキングを提供することができる。これにより、利用者は、利用者の趣味や嗜好に応じた楽曲のランキング情報を得ることができる。
【００４４】
また、本実施の形態にかかる移動体端末装置２００は、移動体端末装置２００の移動履歴の情報と、移動中に再生した楽曲の履歴の情報とを、情報管理サーバ１００に送信するとともに、情報管理サーバ１００から、属性ごとに分類された楽曲のランキングを受信するようにした。したがって、利用者に対して、利用者の属性に応じたランキングを提示することができる。これにより、利用者は、利用者の趣味や嗜好に応じた楽曲のランキング情報を得ることができる。
【実施例】
【００４５】
以下に、本発明の実施例について説明する。本実施例では、情報管理サーバとナビゲーション装置とを備えたプローブカーシステムについて、説明する。なお、以下の説明では、車両に搭載されるナビゲーション装置によって、本発明にかかる移動体端末装置を実施した場合の一例について説明する。
【００４６】
（プローブカーシステムの概要）
まず、図５を用いて、本実施例にかかるプローブカーシステム５００の概要について説明する。図５は、本実施例にかかるプローブカーシステム５００の概要を示す説明図である。
【００４７】
図５において、プローブカーシステム５００は、情報管理サーバ５０１と、複数のナビゲーション装置５０２とから構成されている。情報管理サーバ５０１と、ナビゲーション装置５０２とは、ネットワーク５１０により通信接続される。
【００４８】
情報管理サーバ５０１は、移動体同士で共有することができる走行情報（以下、「プローブ情報」という）を格納するＤＢ（Ｄａｔｅ  Ｂａｓｅ）を備える。また、情報管理サーバ５０１は、プローブ情報とともに、移動体の走行履歴や、移動中に再生した楽曲の履歴の情報を格納する。情報管理サーバ５０１は、ナビゲーション装置５０２に対して、プローブ情報を配信する。
【００４９】
ナビゲーション装置５０２は、移動体などの車両に搭載されており、情報管理サーバ５０１から受信したプローブ情報を提示したり、当該プローブ情報を基に経路探索をおこなったりする。また、走行により取得したプローブ情報を情報管理サーバ５０１に送信する。
【００５０】
（情報管理サーバのハードウェア構成）
図６を用いて、本実施例にかかる情報管理サーバ５０１のハードウェア構成について説明する。図６は、本実施例にかかる情報管理サーバ５０１のハードウェア構成の一例を示すブロック図である。
【００５１】
図６において、情報管理サーバ５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、スピーカ６０９と、入力デバイス６１０と、映像Ｉ／Ｆ６１１と、ディスプレイ６１２と、通信Ｉ／Ｆ６１３と、を備えている。また、各構成部６０１〜６１３はバス６２０によってそれぞれ接続されている。
【００５２】
ＣＰＵ６０１は、情報管理サーバ５０１の全体の制御を司る。ＲＯＭ６０２は、ブートプログラム、通信プログラム、情報管理プログラムなどの各種プログラムを記録している。また、ＲＡＭ６０３は、ＣＰＵ６０１のワークエリアとして使用される。
【００５３】
情報管理プログラムは、ナビゲーション装置５０２から受信した移動履歴の情報に基づいて、利用者の属性を判断するとともに、利用者を属性ごとに分類し、分類した属性ごとに、再生された回数の多い順に楽曲のランキングを作成する。分類した属性および作成したランキングは、ＤＢに格納される。
【００５４】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。
【００５５】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータが読み出される着脱自在な記録媒体である。光ディスク６０７は、書き込み可能な記録媒体を利用することもできる。また、この着脱自在な記録媒体として、光ディスク６０７のほか、ＭＯ、メモリカードなどであってもよい。
【００５６】
音声Ｉ／Ｆ６０８は、音声出力用のスピーカ６０９に接続される。スピーカ６０９は、音声を出力する。入力デバイス６１０は、文字、数値、各種指示などの入力のための複数のキーを備えたリモコン、キーボード、マウス、タッチパネルなどが挙げられる。入力デバイス６１０は、リモコン、キーボード、マウス、タッチパネルのうち、いずれか一つの形態によって実現されてもよいし、複数の形態によって実現されてもよい。
【００５７】
映像Ｉ／Ｆ６１１は、ディスプレイ６１２と接続される。映像Ｉ／Ｆ６１１は、具体的には、たとえば、ディスプレイ６１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ６１２を表示制御する制御ＩＣなどによって構成される。
【００５８】
ディスプレイ６１２には、アイコン、カーソル、メニュー、ウインドウ、あるいは文字や画像などの各種データが表示される。このディスプレイ６１２は、たとえば、ＣＲＴ、ＴＦＴ液晶ディスプレイ、プラズマディスプレイなどを採用することができる。
【００５９】
通信Ｉ／Ｆ６１３は、無線を介してネットワークに接続され、情報管理サーバ５０１とＣＰＵ６０１とのインターフェースとして機能する。通信Ｉ／Ｆ６１３は、さらに、無線を介してインターネットなどの通信網に接続され、この通信網とＣＰＵ６０１とのインターフェースとしても機能する。
【００６０】
図１に示した情報管理サーバ１００が備える、受信部１０１と、分類部１０２と、作成部１０３と、配信部１０４とは、図６に示した情報管理サーバ５０１におけるＲＯＭ６０２、ＲＡＭ６０３、磁気ディスク６０５、光ディスク６０７などに記録されたプログラムやデータを用いて、ＣＰＵ６０１が所定のプログラムを実行し、情報管理サーバ５０１における各部を制御することによってその機能を実現する。
【００６１】
すなわち、本実施例の情報管理サーバ５０１は、情報管理サーバ５０１における記録媒体としてのＲＯＭ６０２に記録されている情報管理プログラムを実行することにより、図１に示した情報管理サーバ１００が備える機能を、図３に示した情報管理処理手順で実行することができる。
【００６２】
（ナビゲーション装置のハードウェア構成）
図７を用いて、本実施例にかかるナビゲーション装置５０２のハードウェア構成について説明する。図７は、本実施例にかかるナビゲーション装置５０２のハードウェア構成の一例を示すブロック図である。図７において、ナビゲーション装置５０２は、車両などの移動体に搭載されており、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、マイク７０９と、スピーカ７１０と、入力デバイス７１１と、映像Ｉ／Ｆ７１２と、ディスプレイ７１３と、通信Ｉ／Ｆ７１４と、ＧＰＳユニット７１５と、各種センサ７１６とを備えている。また、各構成部７０１〜７１６はバス７２０によってそれぞれ接続されている。
【００６３】
ＣＰＵ７０１は、ナビゲーション装置５０２の全体の制御を司る。ＲＯＭ７０２は、ブートプログラム、現在地点算出プログラム、経路探索プログラム、経路誘導プログラム、情報受信プログラムなどの各種プログラムを記録している。また、ＲＡＭ７０３は、ＣＰＵ７０１のワークエリアとして使用される。
【００６４】
現在地点算出プログラムは、たとえば、後述するＧＰＳユニット７１５および各種センサ７１６の出力情報に基づいて、車両の現在地点（ナビゲーション装置５０２の現在地点）を算出させる。
【００６５】
経路探索プログラムは、後述する磁気ディスク７０５に記録されている地図データなどを利用して、出発地点から目的地点までの最適な経路を探索させる。ここで、最適な経路とは、目的地点までの最短（または最速）経路やユーザが指定した条件に最も合致する経路などである。また、目的地点のみならず、立ち寄り地点や休憩地点までの経路を探索してもよい。探索された誘導経路は、ＣＰＵ７０１を介して音声Ｉ／Ｆ７０８や映像Ｉ／Ｆ７１２へ出力される。
【００６６】
経路誘導プログラムは、経路探索プログラムを実行することによって探索された誘導経路情報、現在地点算出プログラムを実行することによって算出された車両の現在地点情報、磁気ディスク７０５から読み出された地図データに基づいて、リアルタイムな経路誘導情報を生成させる。生成された経路誘導情報は、ＣＰＵ７０１を介して音声Ｉ／Ｆ７０８や映像Ｉ／Ｆ７１２へ出力される。
【００６７】
情報受信プログラムは、車両の移動履歴の情報と、移動中に再生した楽曲の履歴の情報とを、外部の情報管理サーバに送信するとともに、当該情報の送信を受けて、情報管理サーバ５０１から、属性ごとに分類された楽曲のランキングを受信する。受信した情報は、ＣＰＵ７０１を介して、音声Ｉ／Ｆ７０８または映像Ｉ／Ｆ７１２へ出力される。
【００６８】
磁気ディスクドライブ７０４は、ＣＰＵ７０１の制御にしたがって磁気ディスク７０５に対するデータの読み取り／書き込みを制御する。磁気ディスク７０５は、磁気ディスクドライブ７０４の制御で書き込まれたデータを記録する。磁気ディスク７０５としては、たとえば、ＨＤ（ハードディスク）やＦＤ（フレキシブルディスク）を用いることができる。
【００６９】
光ディスクドライブ７０６は、ＣＰＵ７０１の制御にしたがって光ディスク７０７に対するデータの読み取り／書き込みを制御する。光ディスク７０７は、光ディスクドライブ７０６の制御にしたがってデータの読み出される着脱自在な記録媒体である。光ディスク７０７は、書き込み可能な記録媒体を利用することもできる。また、この着脱自在な記録媒体として、光ディスク７０７のほか、ＭＯ、メモリカードなどであってもよい。磁気ディスク７０５または光ディスク７０７には、地図データなどのほかに、楽曲が記録されている。
【００７０】
音声Ｉ／Ｆ７０８は、音声入力用のマイク７０９および音声出力用のスピーカ７１０に接続される。マイク７０９は、たとえば、車両のサンバイザー付近に設置され、その数は単数でも複数でもよい。マイク７０９に受音された音声は、音声Ｉ／Ｆ７０８内でＡ／Ｄ変換される。マイク７０９から入力された音声は、利用者ごとの音声情報として、適宜、磁気ディスク７０５または光ディスク７０７に記録される。スピーカ７１０からは、音声が出力される。
【００７１】
入力デバイス７１１は、文字、数値、各種指示などの入力のための複数のキーを備えたリモコン、キーボード、マウス、タッチパネルなどが挙げられる。入力デバイス７１１は、リモコン、キーボード、マウス、タッチパネルのうち、いずれか一つの形態によって実現されてもよいし、複数の形態によって実現されてもよい。
【００７２】
映像Ｉ／Ｆ７１２は、ディスプレイ７１３と接続される。映像Ｉ／Ｆ７１２は、具体的には、たとえば、ディスプレイ７１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１３を表示制御する制御ＩＣなどによって構成される。
【００７３】
ディスプレイ７１３には、アイコン、カーソル、メニュー、ウインドウ、あるいは文字や画像などの各種データが表示される。ディスプレイ７１３には、地図データが２次元または３次元に描画される。ディスプレイ７１３に表示された地図データには、ナビゲーション装置５０２を搭載した車両の現在地点をあらわすマークなどを重ねて表示することができる。車両の現在地点は、ＣＰＵ７０１によって算出される。
【００７４】
このディスプレイ７１３は、たとえば、ＣＲＴ、ＴＦＴ液晶ディスプレイ、プラズマディスプレイなどを採用することができる。ディスプレイ７１３は、たとえば、車両のダッシュボード付近に設置される。ディスプレイ７１３は、車両のダッシュボード付近のほか、車両の後部座席周辺などに設置するなどして、車両内に複数設置してもよい。
【００７５】
通信Ｉ／Ｆ７１４は、無線を介してネットワークに接続され、ナビゲーション装置５０２とＣＰＵ７０１とのインターフェースとして機能する。通信Ｉ／Ｆ７１４は、さらに、無線を介してインターネットなどの通信網に接続され、この通信網とＣＰＵ７０１とのインターフェースとしても機能する。
【００７６】
通信網には、ＬＡＮ、ＷＡＮ、公衆回線網や携帯電話網などがある。具体的には、通信Ｉ／Ｆ７１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路情報を取得する。なお、ＶＩＣＳは登録商標である。
【００７７】
また、通信Ｉ／Ｆ７１４は、たとえば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）を用いた場合は、路側に設置された無線装置と双方向の無線通信をおこなう車載無線装置によって構成され、交通情報や地図情報などの各種情報を取得する。
【００７８】
ＧＰＳユニット７１５は、ＧＰＳ衛星からの電波を受信し、車両の現在地点を示す情報を出力する。ＧＰＳユニット７１５の出力情報は、後述する各種センサ７１６の出力値とともに、ＣＰＵ７０１による車両の現在地点の算出に際して利用される。現在地点を示す情報は、たとえば緯度・経度、高度などの、地図データ上の１点を特定する情報である。
【００７９】
各種センサ７１６は、車速センサ、加速度センサ、角速度センサなどの、車両の位置や挙動を判断することが可能な情報を出力する。各種センサ７１６の出力値は、ＣＰＵ７０１による車両の現在地点の算出や、速度や方位の変化量の測定などに用いられる。
【００８０】
図２に示した移動体端末装置２００が備える、送信部２０１と、制御部２０２と、受信部２０３と、提示部２０４と、受付部２０５と、入力部２０６と、再生部２０７とは、図７に示したナビゲーション装置５０２におけるＲＯＭ７０２、ＲＡＭ７０３、磁気ディスク７０５、光ディスク７０７などに記録されたプログラムやデータを用いて、ＣＰＵ７０１が所定のプログラムを実行し、ナビゲーション装置５０２における各部を制御することによってその機能を実現する。
【００８１】
すなわち、本実施例のナビゲーション装置５０２は、ナビゲーション装置５０２における記録媒体としてのＲＯＭ７０２に記録されている情報受信プログラムを実行することにより、図２に示した移動体端末装置２００が備える機能を、図４に示した情報受信処理手順で実行することができる。
【００８２】
（情報管理サーバがおこなう情報管理処理の一例）
つぎに、図８を用いて、本実施例にかかる情報管理サーバ５０１がおこなう情報管理処理の一例について説明する。図８は、本実施例にかかる情報管理サーバ５０１がおこなう情報管理処理の一例を示すフローチャートである。
【００８３】
図８において、情報管理サーバ５０１は、車両が到達した施設の情報と、移動中に再生した楽曲の履歴の情報とを受信したか否かを判断する（ステップＳ８０１）。ステップＳ８０１において、上記情報を受信するまで待機状態にある（ステップＳ８０１：Ｎｏのループ）。ステップＳ８０１において、上記情報を受信すると（ステップＳ８０１：Ｙｅｓ）、所定の施設以外か否かを判断する（ステップＳ８０２）。
【００８４】
所定の施設は、ガソリンスタンドなど、利用者の趣味嗜好などによらず、必然的に行く施設である。ステップＳ８０２において、所定の施設以外であると判断した場合（ステップＳ８０２：Ｙｅｓ）、所定回数以上到達した施設か否かを判断する（ステップＳ８０３）。
【００８５】
なお、ステップＳ８０３においては、所定回数以上か否かのほかに、さらに直近３ヶ月などの所定期間内か否かを判断するようにしてもよい。ステップＳ８０３において、所定回数以上到達した施設であると判断した場合（ステップＳ８０３：Ｙｅｓ）、当該施設のジャンルを抽出する（ステップＳ８０４）。そして、抽出したジャンルに基づいて、利用者の属性を判断する（ステップＳ８０５）。
【００８６】
そして、利用者を属性ごとに分類する（ステップＳ８０６）。このあと、複数のナビゲーション装置５０２にて再生された回数の多い順に、属性ごとに楽曲のランキングを作成する（ステップＳ８０７）。さらに、作成した楽曲のランキングを格納し（ステップＳ８０８）、一連の処理を終了する。なお、格納されるランキングの具体例については、図１３を用いて後述する。
【００８７】
一方、ステップＳ８０２において、所定の施設以外ではないと判断した場合（ステップＳ８０２：Ｎｏ）、つまり、ガソリンスタンドなどと判断した場合、一連の処理を終了する。また、ステップＳ８０３において、所定回数以上到達した施設ではないと判断した場合（ステップＳ８０３：Ｎｏ）、到達した回数を記録し（ステップＳ８０９）、一連の処理を終了する。
【００８８】
（利用者からの入力に基づく属性に関する情報を用いた情報管理処理の一例）
つぎに、図９を用いて、本実施例にかかる情報管理サーバ５０１がおこなう情報管理処理の一例について説明する。図９は、本実施例にかかる情報管理サーバ５０１がおこなう利用者の属性に関する情報を用いた情報管理処理の一例を示すフローチャートである。図９に示すフローチャートは、図８に示した処理にて、ランキングが作成されていることを前提とする。なお、利用者の属性に関する情報は、詳細な属性情報であり、具体的には、利用者の性格や年齢を示す情報である。
【００８９】
図９において、情報管理サーバ５０１は、利用者の属性に関する情報を受信したか否かを判断する（ステップＳ９０１）。ステップＳ９０１において、利用者の属性に関する情報を受信するまで待機し（ステップＳ９０１：Ｎｏのループ）、利用者の属性に関する情報を受信すると（ステップＳ９０１）、属性ごとに分類されている利用者を、さらに詳細な属性ごとに分類する（ステップＳ９０２）。
【００９０】
そして、利用者の性格や年齢を加味した詳細な属性ごとの楽曲のランキングを作成する（ステップＳ９０３）。このあと、ランキングを格納し（ステップＳ９０４）、一連の処理を終了する。なお、詳細な属性ごとに作成したランキングの詳細については、図１４を用いて後述する。
【００９１】
（情報管理サーバがおこなう情報配信処理の一例）
つぎに、図１０を用いて、本実施例にかかる情報管理サーバ５０１がおこなう情報配信処理の一例について説明する。図１０は、本実施例にかかる情報管理サーバ５０１がおこなう情報配信処理の一例を示すフローチャートである。
【００９２】
図１０において、情報管理サーバ５０１は、ランキングを配信するタイミングか否かを判断する（ステップＳ１００１）。なお、ランキングを配信するタイミングは、任意であり、プローブ情報を配信する毎回のタイミングであってもよいし、週に１回や月に１回など、任意に設定したタイミングであってもよい。
【００９３】
ステップＳ１００１において、ランキングを配信するタイミングとなるまで待機状態にあり（ステップＳ１００１：Ｎｏのループ）、ランキングを配信するタイミングとなると（ステップＳ１００１：Ｙｅｓ）、配信先のナビゲーション装置５０２を特定する（ステップＳ１００２）。
【００９４】
そして、ナビゲーション装置５０２の利用者の属性と同じ属性のランキングを抽出する（ステップＳ１００３）。このあと、ランキングを配信し（ステップＳ１００４）、一連の処理を終了する。
【００９５】
上述した図８〜図１０に示した処理によれば、到達した施設のジャンルに基づいて、利用者の属性を判断し、利用者を属性ごとに分類するとともに、分類した属性ごとに、複数のナビゲーション装置５０２にて再生された回数の多い順に楽曲のランキングを作成し、利用者の属性に応じたランキングを提供することができる。
【００９６】
（ナビゲーション装置がおこなう情報送信処理の一例）
つぎに、図１１を用いて、本実施例にかかるナビゲーション装置５０２がおこなう情報送信処理の一例について説明する。図１１は、本実施例にかかるナビゲーション装置５０２がおこなう情報送信処理の一例を示すフローチャートである。なお、図１１に示す処理は、図８に示した情報管理サーバ５０１の情報管理処理の前段階でおこなわれるナビゲーション装置５０２の処理である。
【００９７】
図１１において、ナビゲーション装置５０２は、施設が目的地点に設定されたか否かを判断する（ステップＳ１１０１）。なお、ここでいう施設は、ガソリンスタンドなど、利用者の趣味嗜好などによらず、必然的に行く施設を除く。ステップＳ１１０１において、施設が目的地点に設定されるまで待機状態にあり（ステップＳ１１０１：Ｎｏのループ）、施設が目的地点に設定されると（ステップＳ１１０１：Ｙｅｓ）、経路探索および経路の案内をおこなう（ステップＳ１１０２）。
【００９８】
このあと、楽曲が再生されたか否かを判断する（ステップＳ１１０３）。ステップＳ１１０３において、楽曲が再生された場合（ステップＳ１１０３：Ｙｅｓ）、目的地点に到達するまでに再生した楽曲を格納する（ステップＳ１１０４）。そして、目的地点に到達したか否かを判断する（ステップＳ１１０５）。ステップＳ１１０５において、目的地点に到達するまで待機状態にある（ステップＳ１１０５：Ｎｏのループ）。
【００９９】
ステップＳ１１０５において、目的地点に到達したと判断した場合（ステップＳ１１０５：Ｙｅｓ）、目的地点の情報と、移動中に再生した楽曲の履歴の情報とを送信し（ステップＳ１１０６）、一連の処理を終了する。一方、ステップＳ１１０３において、楽曲が再生されなかった場合（ステップＳ１１０３：Ｎｏ）、一連の処理を終了する。
【０１００】
なお、上述した処理においては、目的地点に到達した施設の情報を送信するようにしたが、途中、駐車した場合には、当該駐車位置に関連付けられる施設の情報を送信してもよいし、目的地点を検索する際の施設検索時において検索された施設の情報を送信してもよい。また、ステップＳ１１０６における送信のタイミングは、目的地点などに到達したとき以降であればよい。
【０１０１】
（ナビゲーション装置がおこなう情報受信処理の一例）
つぎに、図１２を用いて、本実施例にかかるナビゲーション装置５０２がおこなう情報受信処理の一例について説明する。図１２は、本実施例にかかるナビゲーション装置５０２がおこなう情報受信処理の一例を示すフローチャートである。なお、図１２に示す処理は、図１０に示した情報管理サーバ５０１の情報配信処理を受けておこなわれる処理である。
【０１０２】
図１２において、ナビゲーション装置５０２は、属性ごとに分類された楽曲のランキングを受信したか否かを判断する（ステップＳ１２０１）。ステップＳ１２０１において、ランキングを受信するまで待機状態にある（ステップＳ１２０１：Ｎｏのループ）。ステップＳ１２０１において、ランキングを受信すると（ステップＳ１２０１：Ｙｅｓ）、ランキングの提示の入力を受け付けたか否かを判断する（ステップＳ１２０２）。
【０１０３】
ステップＳ１２０２において、ランキングの提示の入力を受け付けた場合（ステップＳ１２０２：Ｙｅｓ）、楽曲のランキングを提示する（ステップＳ１２０３）。なお、ステップＳ１２０３にて提示されるランキングについては、図１５を用いて後述する。
【０１０４】
このあと、楽曲の再生指示を受け付けたか否かを判断する（ステップＳ１２０４）。ステップＳ１２０４において、楽曲の再生指示を受け付けるまで待機状態にある（ステップＳ１２０４：Ｎｏのループ）。ステップＳ１２０４において、楽曲の再生指示を受け付けると（ステップＳ１２０４：Ｙｅｓ）、ランキング順に楽曲を再生し（ステップＳ１２０５）、一連の処理を終了する。
【０１０５】
一方、ステップＳ１２０２において、ランキングの提示の入力を受け付けない場合（ステップＳ１２０２：Ｎｏ）、一連の処理を終了する。なお、別途、ランキングを提示させるためには、メニュー画面からの選択により、当該提示をおこなうようにすればよい。
【０１０６】
上述した図１１および図１２に示した処理によれば、車両の移動履歴の情報と、移動中に再生した楽曲の履歴の情報とを、情報管理サーバ５０１に送信するとともに、情報管理サーバ５０１から、属性ごとに分類された楽曲のランキングを受信するようにしたので、利用者に対して、利用者の属性に応じたランキングを提示することができる。したがって、利用者は、利用者の趣味や嗜好に応じたランキング情報を得ることができる。また、利用者は、利用者の趣味や嗜好に応じたランキング順に楽曲を聴くことができる。
【０１０７】
（情報管理サーバに格納される楽曲のランキングの一例）
つぎに、図１３を用いて、本実施例にかかる情報管理サーバ５０１に格納される楽曲のランキングの一例について説明する。図１３は、本実施例にかかる情報管理サーバ５０１に格納される楽曲のランキングの一例を示す説明図である。
【０１０８】
図１３において、情報管理サーバ５０１に格納されるランキング情報１３００は、移動履歴１３１０と、属性１３２０と、ランキング１３３０とからなる。移動履歴１３１０は、到達した目的地点の施設のジャンルである。なお、この移動履歴１３１０は、車両が駐車した駐車位置に関連付けられる施設のジャンルや、検索時における施設のジャンルであってもよい。
【０１０９】
属性１３２０は、予めの設定により移動履歴１３１０の施設のジャンルから導かれるものであり、たとえば、移動履歴１３１０に宿泊施設やプレイスポットなどの施設がある場合、旅行好きと判断される。なお、属性１３２０を判断するに際しては、移動履歴１３１０が、たとえば３回以上など、予め設定される所定回数以上ある場合に、対応する属性１３２０を判断してもよい。また、最も移動履歴１３１０の回数が多いものを用いて属性１３２０を判断してもよい。また、移動履歴１３１０が、たとえば、直近３ヶ月以内など、所定期間内に、移動履歴１３１０が所定回数以上ある場合に、対応する属性１３２０を判断してもよい。
【０１１０】
ランキング１３３０は、属性１３２０ごとの楽曲のランキングである。ランキング１３３０は、旅行好き、買い物好き、スポーツ好き、など各利用者が移動中に再生した楽曲のランキングである。つまり、ランキング１３３０は、それぞれ利用者の趣味や嗜好に応じた楽曲のランキングである。
【０１１１】
また、移動履歴としての経路の情報や渋滞の情報などを基に、たとえば、高速道路を走行中に再生した楽曲や、渋滞中に再生した楽曲などの移動状況に対応させて、楽曲のランキングをさらに細分化して作成することも可能である。
【０１１２】
このようなランキング情報１３００を作成することにより、利用者の趣味や嗜好に応じた楽曲のランキング１３３０を利用者に提供することができる。
【０１１３】
（情報管理サーバに格納される楽曲のランキングの他の一例）
つぎに、図１４を用いて、本実施例にかかる情報管理サーバ５０１に格納される楽曲のランキングの他の一例について説明する。図１４は、本実施例にかかる情報管理サーバ５０１に格納される楽曲のランキングの他の一例を示す説明図である。
【０１１４】
図１４において、情報管理サーバ５０１に格納されるランキング情報１４００は、属性に関する入力情報１４１０ごとにランキング１３３０が作成されている点で、図１３に示したランキング情報１３００と異なる。
【０１１５】
ランキング情報１４００において、図１３に示したランキング情報１３００と同様に、移動履歴１３１０を基に、属性１３２０が記載されている。一方、属性に関する入力情報１４１０は、利用者からの入力に基づくものであり、性格および年齢層が記載されている。
【０１１６】
属性に関する入力情報１４１０は、ナビゲーション装置５０２にて、性格や年齢などを入力する入力画面を用いて、利用者からの入力によって設定されたものである。性格については、たとえば、設問事項に該当するか否か、たとえば、外向的か内向的かといった設問に対する回答をそのまま用いてもよいし、多数の設問事項から複合的に判断するようにしてもよい。複合的な判断とは、たとえば、外向的か否か、冷静か否か、論理的か否かなどの各回答から、予め設定される所定の分類に当てはめ、性格を特定することなどが挙げられる。
【０１１７】
ランキング１３３０は、各性格の年齢層ごとの楽曲のランキングである。つまり、ランキング１３３０は、性格別および年齢層別のランキングであり、つまり、それぞれの利用者の趣味、嗜好、性格、年齢に応じた楽曲のランキングである。
【０１１８】
なお、このような性格の分類では、たとえば、利用者の属性１３２０が「旅行好き」で、性格が「外向的」にも「冷静」にも該当する場合もある。この場合、情報管理サーバ５０１は、当該利用者のナビゲーション装置５０２に対して、「外向的」および「冷静」の複数のランキング１３３０を配信すればよい。
【０１１９】
このようなランキング情報１４００を作成することにより、利用者の趣味、嗜好、性格、年齢に応じた楽曲のランキング１３３０を利用者に提供することができる。
【０１２０】
（ディスプレイ７１３に表示される表示画面の一例）
つぎに、図１５を用いて、本実施例にかかるナビゲーション装置５０２のディスプレイ７１３に表示される表示画面の一例について説明する。図１５は、本実施例にかかるナビゲーション装置５０２のディスプレイ７１３に表示される表示画面の一例を示す説明図である。
【０１２１】
図１５に示す表示画面１５００は、図１２のステップＳ１２０３において提示される画面の一例である。表示画面１５００は、属性ごとに示されるランキングである。なお、図１４に示したランキング情報１４００を用いた場合には、性格および年齢にも対応したランキングを表示することも可能である。
【０１２２】
符号１５０１は、カーソルを示しており、利用者からの入力によりランキングが１〜３位までの楽曲を選択できるようになっている。また、ボタン１５０２は、利用者からの入力があると、たとえば、インターネットに接続し、カーソル１５０１にて選択されている楽曲のダウンロードを開始する。
【０１２３】
また、ボタン１５０３は、利用者からの入力があると、記録媒体に記録されている楽曲がある場合には、当該楽曲を表示されているランキング順に再生順を変更する。また、ボタン１５０４は、利用者からの入力により押下されると、メニュー画面に移行する。
【０１２４】
このような表示画面１５００によれば、利用者は、自らの趣味や嗜好に応じたランキングを知ることができるとともに、自ら選択することにより、聴取したい楽曲をダウンロードしたり、再生順を変更したりすることができる。
【０１２５】
以上説明したように、本実施例にかかるプローブカーシステム５００に用いられる情報管理サーバ５０１は、目的地点に到達した施設のジャンルに基づいて、利用者の属性を判断し、利用者を属性ごとに分類するとともに、分類した属性ごとに、複数のナビゲーション装置５０２にて再生された回数の多い順に楽曲のランキングを作成し、配信する。また、ナビゲーション装置５０２は、利用者の属性に応じたランキングを提示する。これにより、利用者は、利用者の趣味や嗜好に応じたランキング情報を得ることができる。
【０１２６】
また、本実施例において、情報管理サーバ５０１は、移動履歴の情報のうち、目的地点または立ち寄り地点として到達した施設のジャンルに基づいて、利用者の属性を判断し、利用者を属性ごとに分類するようにした。これにより、実際に到達した施設のジャンルから利用者の属性を判断することができる。したがって、利用者は、利用者の趣味や嗜好により適合した楽曲のランキングを知ることができる。
【０１２７】
また、本実施例において、情報管理サーバ５０１は、移動履歴の情報のうち、移動体が駐車した駐車位置に関連付けられる施設のジャンルに基づいて、利用者の属性を判断し、利用者を属性ごとに分類するようにしてもよい。これにより、実際に移動体が駐車した施設のジャンルから利用者の属性を判断することができる。したがって、利用者は、利用者の趣味や嗜好により適合した楽曲のランキングを知ることができる。
【０１２８】
また、本実施例において、情報管理サーバ５０１は、複数のナビゲーション装置５０２にておこなわれた施設検索時におけるジャンルの履歴に基づいて、利用者の属性を判断し、利用者を属性ごとに分類してもよい。これにより、移動体の移動履歴情報のみでなく、利用者が検索した施設のジャンルの履歴からも利用者の属性を判断できるため、より詳細な属性を判断することができる。したがって、利用者は、利用者の趣味や嗜好により適合した楽曲のランキングを知ることができる。
【０１２９】
また、本実施例において、情報管理サーバ５０１は、施設のジャンルのうち、移動体が当該施設に到達した回数が所定回数以上の場合、または当該施設を検索した回数が所定回数以上の場合に、利用者の属性を判断し、分類するようにした。これにより、よく行く施設、またはよく検索する施設のジャンルから属性を判断し、分類することができる。したがって、利用者は、利用者の趣味や嗜好により適合した楽曲のランキングを知ることができる。
【０１３０】
また、本実施例において、情報管理サーバ５０１は、施設のジャンルの種類に応じて、利用者の属性を判断するようにした。これにより、ガソリンスタンドなど、必然的に行く場所などを属性の判断要素として用いないようにする一方、宿泊施設や観光地など、利用者の趣味や嗜好を反映させやすい場所などを属性の判断要素に用いることができる。したがって、利用者は、利用者の趣味や嗜好により適合した楽曲のランキングを知ることができる。
【０１３１】
また、本実施例において、情報管理サーバ５０１は、利用者の属性と同じ属性のランキングを、当該利用者のナビゲーション装置５０２に配信するようにした。これにより、利用者は、利用者の属性と、同じ属性の他の利用者が聴いている楽曲を知ることができる。
【０１３２】
また、本実施例において、情報管理サーバ５０１は、ナビゲーション装置５０２から、利用者からの入力による利用者の属性に関する情報を受信し、利用者の属性に関する情報に応じて、利用者を属性ごとに分類するようにした。したがって、利用者の性格ごとに属性を分類することができ、つまり、より詳細に属性を分類することができる。これにより、利用者は、趣味、嗜好、性格に対応した楽曲のランキングを知ることができる。
【０１３３】
また、本実施例において、属性に関する情報は、利用者の年齢に関する情報を含み、情報管理サーバ５０１は、ナビゲーション装置５０２からの利用者の年齢に関する情報に基づいて、利用者を属性ごとに分類するとともに、さらに所定の年齢層ごとに分類するようにした。これにより、利用者の年齢に対応した楽曲のランキングを配信することができる。したがって、利用者は、利用者の趣味、嗜好、性格、年齢に対応した楽曲のランキングを知ることができる。
【０１３４】
また、本実施例において、ナビゲーション装置５０２は、楽曲のランキング順に、楽曲を再生させるようにした。これにより、利用者の趣味や嗜好に対応した順番で、楽曲を再生させることができる。したがって、利用者は、趣味や嗜好に応じたランキングの順番で、楽曲を聴くことができる。
【０１３５】
以上説明したように、本発明の情報管理サーバ、移動体端末装置、情報管理方法、情報受信方法、情報管理プログラム、情報受信プログラム、および記録媒体によれば、利用者の属性に応じたランキングを提供することができ、利用者は、利用者の趣味や嗜好に応じた楽曲のランキングを知ることができる。
【０１３６】
なお、本実施例で説明した情報管理方法および情報受信方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１３７】
【図１】実施の形態にかかる情報管理サーバの機能的構成の一例を示すブロック図である。
【図２】実施の形態にかかる移動体端末装置の機能的構成の一例を示すブロック図である。
【図３】本実施の形態にかかる情報管理サーバの情報管理処理手順の一例を示すフローチャートである。
【図４】本実施の形態にかかる移動体端末装置の情報受信処理手順の一例を示すフローチャートである。
【図５】本実施例にかかるプローブカーシステムの概要を示す説明図である。
【図６】本実施例にかかる情報管理サーバのハードウェア構成の一例を示すブロック図である。
【図７】本実施例にかかるナビゲーション装置のハードウェア構成の一例を示すブロック図である。
【図８】本実施例にかかる情報管理サーバがおこなう情報管理処理の一例を示すフローチャートである。
【図９】本実施例にかかる情報管理サーバがおこなう利用者の属性に関する情報を用いた情報管理処理の一例を示すフローチャートである。
【図１０】本実施例にかかる情報管理サーバがおこなう情報配信処理の一例を示すフローチャートである。
【図１１】本実施例にかかるナビゲーション装置がおこなう情報送信処理の一例を示すフローチャートである。
【図１２】本実施例にかかるナビゲーション装置がおこなう情報受信処理の一例を示すフローチャートである。
【図１３】本実施例にかかる情報管理サーバに格納される楽曲のランキングの一例を示す説明図である。
【図１４】本実施例にかかる情報管理サーバに格納される楽曲のランキングの他の一例を示す説明図である。
【図１５】本実施例にかかるナビゲーション装置のディスプレイに表示される表示画面の一例を示す説明図である。
【符号の説明】
【０１３８】
１００  情報管理サーバ
１０１  受信部
１０２  分類部
１０３  作成部
１０４  配信部
２００  移動体端末装置
２０１  送信部
２０２  制御部
２０３  受信部
２０４  提示部
２０５  受付部
２０６  入力部
２０７  再生部
５００  プローブカーシステム
５０１  情報管理サーバ
５０２  ナビゲーション装置
【図１】
2009134539.tif 000003
【図２】
2009134539.tif 000004
【図３】
2009134539.tif 000005
【図４】
2009134539.tif 000006
【図５】
2009134539.tif 000007
【図６】
2009134539.tif 000008
【図７】
2009134539.tif 000009
【図８】
2009134539.tif 000010
【図９】
2009134539.tif 000011
【図１０】
2009134539.tif 000012
【図１１】
2009134539.tif 000013
【図１２】
2009134539.tif 000014
【図１３】
2009134539.tif 000015
【図１４】
2009134539.tif 000016
【図１５】
2009134539.tif 000017